(57)【要約】【課題】ブラシ本体が、奥歯等の歯間へも届きやすく、ブラシ本体とハンドル部を持つ手の動きの方向とを一致させて、奥歯の掃除を容易とする歯間ブラシを得る。【解決手段】  ブラシ本体１と、ハンドル本体５とで構成される歯間ブラシ１００であって、前記ハンドル本体５は、ハンドル部４と、アーム部３と、前記ブラシ本体１の基端部１１を保持するブラシ保持部２とで構成され、前記アーム部３は、前記ハンドル部４と前記ブラシ保持部２とを、前記ブラシ保持部２に保持されたブラシ本体１の長手方向と、ハンドル部４の長手方向とを、同一直線上となるように連結している歯間ブラシとする。【選択図】    図１
0003136636.tif 000002
【実用新案登録請求の範囲】
【請求項１】
ブラシ本体と、ハンドル本体とで構成される歯間ブラシであって、前記ハンドル本体は、ハンドル部と、アーム部と、前記ブラシ本体の基端部を保持するブラシ保持部とで構成され、前記アーム部は、前記ハンドル部と前記ブラシ保持部とを、前記ブラシ保持部に保持されたブラシ本体の長手方向と、ハンドル部の長手方向とを、同一直線上となるように連結していることを特徴とする歯間ブラシ。
【請求項２】
前記アーム部は、湾曲形状であって、内側の開放部分の開口寸法は、１．０ｃｍ以上から２．５ｃｍ以下の範囲であり、また湾曲形状の内側の深さ寸法は、１．５ｃｍ以上から４．０ｃｍ以下の範囲であることを特徴とする請求項１に記載の歯間ブラシ。
【請求項３】
前記ハンドル本体は、ハンドル部と、アーム部と、ブラシ保持部とが一体成型されたことを特徴とする請求項１に記載の歯間ブラシ。
【請求項４】
前記ハンドル本体は、ハンドル部と、アーム部とが一体成型され、前記ブラシ保持部が、連結機構によってアーム部と脱着可能であることを特徴とする請求項１に記載の歯間ブラシ。
【考案の詳細な説明】
【技術分野】
【０００１】
本考案は、歯間の細部を磨くための歯間ブラシに関する。
【背景技術】
【０００２】
歯間ブラシは、歯の間を掃除するものとして一般に普及している。この歯間ブラシは、虫歯や歯周病等の原因として知られている歯垢を、取り除くために使用される。
【０００３】
図４は、従来の歯間ブラシの第１の例の説明図である。歯間ブラシ１０１は、ブラシ本体１と、ハンドル本体５１とで構成されており、前記ハンドル本体５１は、ブラシ保持部２１と、ハンドル部４１とで構成され、前記ブラシ本体の１の基端部１１が、ブラシ保持部２１内に埋め込まれている。ここで、ブラシ本体１は、金属の撚り線にナイロン毛を撚り込んで形成されており、前記金属撚り線の一方の側を基端部１１としている。
また、ハンドル本体５１は、その材質を、プラスチックなどの樹脂を使用している。
【０００４】
ここで、前記ハンドル部４１を、人間が手で握り、ブラシ本体１を、歯と歯の間にあてがい、歯間ブラシ１０１を、ハンドル部４１の長手方向に動かしたり、あるいは回転を加えたりして、歯と歯の間を掃除する。
ここで、通常の状態では、ブラシ本体１の長手方向と、ハンドル部４１の長手方向は、同一直線上に保持されているが、ブラシ保持部２１を構成する樹脂は、やわらかい材質のものが使用されており、従って歯間ブラシ１０１にて歯間を磨く場合に応じて、ブラシ保持部２１は、自由に曲がることができる。
【０００５】
図５は、従来の歯間ブラシの第２の例の説明図である。歯間ブラシ１０２は、ブラシ本体１と、ハンドル本体５２とで構成されており、前記ハンドル本体５２は、ブラシ保持部２２と、ハンドル部４２とで構成され、前記ブラシ本体の１の基端部１１が、ブラシ保持部２２内に埋め込まれている。ここで、ハンドル部４２は、略９０度のＬ字型の形状となっており、特に、奥の方に位置する歯間の掃除に用いられていた。
【０００６】
図６は、従来の第２の例の歯間ブラシを、奥歯９の歯の間の清掃に使用する場合の説明図である。
【０００７】
特許文献１には、歯間ブラシについて、ハンドル本体の一部を蛇腹形状として、ハンドル本体を曲げやすくした内容について記載されている。
【０００８】
【特許文献１】特開２００７−０３７７９１号公報
【考案の開示】
【考案が解決しようとする課題】
【０００９】
従来の歯間ブラシには、以下の問題点があった。図４、および図５に示した従来の歯間ブラシにおいて、奥歯の歯間を磨く際には、ブラシ本体と、ハンドル本体のハンドル部とが、ほぼ垂直の角度を成しており、ブラシ本体を歯間へ差し込んだ後、歯垢を除去するブラシ本体の動く方向と、ハンドル部を持ち歯間ブラシの動きを操作する手の動きの方向が一致しておらず、ブラシ本体を歯の間にて動かす際、ブラシ本体の動きに、ねじれあるいは回転が生じ、ブラシ本体を真っ直ぐに動かすことが困難という問題点があった。
【００１０】
本考案の目的は、ブラシ本体が、奥歯等の歯間へも届きやすくブラシ本体の動きと、ハンドル部を持つ手の動きとの方向とを一致させて、奥歯の歯間の掃除を容易とする歯間ブラシを提供することである。
【課題を解決するための手段】
【００１１】
請求項1に係る考案は、ブラシ本体と、該ブラシ本体を支持するハンドル本体とで構成される歯間ブラシであって、前記ハンドル本体は、ハンドル部と、アーム部と、前記ブラシ本体の基端部を保持するブラシ保持部とで構成され、前記アーム部は、前記ハンドル部と、前記ブラシ部とを、前記ブラシ本体の長手方向と、ハンドル部の長手方向とを、同一直線上となるように連結していることを特徴とする歯間ブラシである。
【００１２】
請求項２に係る考案は、前記アーム部は、湾曲形状であって、内側の開放部分の開口寸法は、１．０ｃｍ以上から２．５ｃｍ以下の範囲であり、また湾曲形状の内側の深さ寸法は、１．５ｃｍ以上から４．０ｃｍ以下の範囲であることを特徴とする請求項１に記載の歯間ブラシである。
【００１３】
請求項３に係る考案は、前記ハンドル本体は、ハンドル部と、アーム部と、ブラシ保持部とが一体成型されたことを特徴とする請求項１に記載の歯間ブラシである。
【００１４】
請求項４に係る考案は、前記ハンドル本体は、ハンドル部と、アーム部とが一体成型され、前記ブラシ保持部が、連結機構によってアーム部と脱着可能であることを特徴とする請求項１に記載の歯間ブラシである。
【考案の効果】
【００１５】
本考案によれば、ブラシ本体が、奥歯等の歯間へも届きやすくブラシ本体とハンドル部を持つ手の動きの方向とを一致させて、奥歯の掃除を容易とする歯間ブラシを提供できる。
【実施例１】
【００１６】
図１は、本考案の実施例に係る歯間ブラシの説明図である。
図１にて、歯間ブラシ１００は、ブラシ本体１と、ハンドル本体５とで構成されている。
ここで、前記ハンドル本体５は、ハンドル部４と、アーム部３と、前記ブラシ本体の基端部１１を保持するブラシ保持部２とで構成されている。
前記アーム部は３、湾曲した形状であり、前記ハンドル部４と前記ブラシ保持部２とを、前記ブラシ保持部２に保持されたブラシ本体１の長手方向と、ハンドル部４の長手方向とを、同一直線上となるように連結している。
【００１７】
ブラシ本体１は、金属の撚り線、あるいはプラスチックの撚り線、あるいは樹脂の撚り線に、ナイロン毛を撚り込んで形成されており、前記ブラシ本体１の一方の側を基端部１１としている。前記基端部１１が、ブラシ保持部２の内部に埋め込まれて、ブラシ本体１が固定されている。また、ハンドル本体５の材質は、口腔内において安全性が確保される材質ならば任意の材質を選択できる。例えば樹脂、またはアルミニウムその他の金属でも良い。
【００１８】
ここで、前記アーム部は、図１に示すごとく、湾曲形状をしており、内側の開放部分の開口寸法（図中にてＸに相当する）は、１．０ｃｍ以上から２．５ｃｍ以下の範囲が好ましい。これは、１．０ｃｍ以上であると、開放部分が、人間のほほを通りやすくなり、また２．５ｃｍ以下であるとハンドル本体の長さが小型化するためである。
また、湾曲形状の内側の深さ寸法（図中にてＹに相当する）は、１．５ｃｍ以上から４．０ｃｍ以下の範囲が好ましい。これは、１．５ｃｍ以上であると、ブラシ本体が、人間の奥歯に到達しやすくなり、また、４．０ｃｍ以下であると、ハンドル本体が小型化するためである。なお、２．５ｃｍ以上から４．０ｃｍ以下の範囲が好ましい。この範囲内においては、親知らずの歯を持つ人向けとして好適である。
【００１９】
図２は、本考案の実施例に係る歯間ブラシを、奥歯９での歯の間の清掃に使用する場合の説明図である。ブラシ本体１の動きの方向は、人間のほほの外側に位置するハンドル部４の動きの方向と一致しており、ブラシ本体が、従来のように、ねじれたり、回転したりすることがなく、奥歯９の歯の間の掃除を容易とすることができる。
【実施例２】
【００２０】
図３は、本考案の他の実施例に係る歯間ブラシのハンドル本体の構造の説明図である。
図３（ａ）は、ハンドル部４、アーム部３、ブラシ保持部２をすべて一体成型した場合である。このように、アーム部３の形状を有するハンドル本体５を、一体成型することにより、歯間ブラシの寸法精度を向上できる。
【００２１】
図３（ｂ）は、ハンドル部４とアーム部３が、一体成型され、ブラシ保持部２が、連結部７によって、アーム部３に接続された場合であり、図３（ｃ）は、ハンドル部４とアーム部３が、一体成型され、ブラシ保持部２が、連結部８によって、アーム部３に接続された場合の説明図である。
【００２２】
図３（ｂ）では、連結部７は、ハンドル部４の長手方向と、ほぼ一致させている。
また、図３（ｃ）では、連結部８は、ハンドル部４の長手方向と、角度を持つように配置されている。図３（ｂ），図３（ｃ）の歯間ブラシの構成にて、ブラシ本体１を、各種ブラシ本体と、容易に交換することができる。
【図面の簡単な説明】
【００２３】
【図１】本考案の実施例に係る歯間ブラシの説明図。
【図２】本考案の実施例に係る歯間ブラシを、奥歯間の清掃に使用する場合の説明図。
【図３】本考案の他の実施例に係る歯間ブラシの、ハンドル本体の構造の説明図である。図３（ａ）は、ハンドル部４、アーム部３、ブラシ保持部２をすべて、一体成型した場合であり、図３（ｂ）は、ハンドル部４とアーム部３が、一体成型され、ブラシ保持部２が、連結部７によって、アーム部３に接続された場合であり、図３（ｃ）は、ハンドル部４とアーム部３が、一体成型され、ブラシ保持部２が、連結部８によって、アーム部３に接続された場合の説明図である。
【図４】従来の歯間ブラシの第１の例の説明図である。
【図５】従来の歯間ブラシの第２の例の説明図である。
【図６】従来の歯間ブラシを、奥歯間の清掃に使用する場合の説明図。
【符号の説明】
【００２４】
１    ブラシ本体
１１  （ブラシ本体の）基端部
２，２１，２２    ブラシ保持部
３    アーム部
４，４１，４２    ハンドル部
５，５１，５２    ハンドル本体
７、８    連結部
９  奥歯
１００，１０１，１０２  歯間ブラシ
【図１】
0003136636.tif 000003
【図２】
0003136636.tif 000004
【図３】
0003136636.tif 000005
【図４】
0003136636.tif 000006
【図５】
0003136636.tif 000007
【図６】
0003136636.tif 000008